(57)【要約】【課題】携帯端末の照明手段から照射される照明光と、該携帯端末の撮影手段による光学系の光軸とが並行である場合と比較して、撮影対象物の紋様情報を精細に取得できる撮影用ユニットを提供すること。【解決手段】撮影手段および照明手段を備えた携帯端末に取り付けるための取付部材と、前記撮影手段によって撮影される撮影対象物の撮影部分に、前記照明手段からの照明光を斜めから供給するための光学部材ＯＰ（ＯＰ１、ＯＰ２）と、光学部材ＯＰの周囲を取り囲む遮光部材ＳＬと、を有し、光学部材ＯＰからの光の第１の光軸は、撮影手段による光学系の第２の光軸に対して斜めとなる方向で前記撮影対象物に入射する、ことを特徴とする撮影用ユニット３。【選択図】図２
2016110029.tif 000002
【特許請求の範囲】
【請求項１】
撮影手段および照明手段を備えた携帯端末に取り付けるための取付部材と、
前記撮影手段によって撮影される撮影対象物の撮影部分に、前記照明手段からの照明光を斜めから供給するための光学部材と、
前記光学部材の周囲を取り囲む遮光部材と、を有し、
前記光学部材からの光の第１の光軸は、前記撮影手段による光学系の第２の光軸に対して斜めとなる方向で前記撮影対象物に入射する、
ことを特徴とする撮影用ユニット。
【請求項２】
請求項１に記載された撮影用ユニットであって、
前記光学部材は、前記撮影手段から遠ざかる方向に前記照明手段からの照明光を照射する第１部材と、
前記遮光部材の内部に配置されて、前記第１部材から照射される照射光を前記撮影対象物の撮影部分に向けて反射する第２部材と、を含む、
ことを特徴とする撮影用ユニット。
【請求項３】
請求項１に記載された撮影用ユニットであって、
前記光学部材は、前記照明手段からの照明光を前記撮影対象物の撮影部分に照射する第１部材を含み、
前記第１部材は、前記撮影手段における前記撮影対象物側の端部よりも前記撮影対象物に近い位置まで前記照明手段からの照明光を導光して、前記撮影手段における前記撮影対象物側の端部よりも前記撮影対象物に近い位置で、前記撮影対象物の撮影部分に向けて照明光を斜めに出射する、
ことを特徴とする撮影用ユニット。
【請求項４】
請求項１乃至３のいずれかに記載された撮影用ユニットであって、
前記携帯端末の前記撮影手段の位置で固定されて、前記撮影対象物を接写するためのレンズ部を有し、
前記遮光部材は、前記レンズ部と前記光学部材の周囲を取り囲んで、前記撮影対象物の接写部分の外光を遮断し、
前記光学部材からの光の第１の光軸は、前記撮影手段および前記レンズ部による光学系の第２の光軸に対して斜めとなる方向で前記撮影対象物に入射する、
ことを特徴とする撮影用ユニット。
【請求項５】
請求項４に記載された撮影用ユニットであって、
前記光学部材は、前記レンズ部から遠ざかる方向に前記照明手段からの照明光を照射する第１部材と、
前記遮光部材の内部に配置されて、前記第１部材から照射される照明光を前記撮影対象物の接写部分に向けて反射する第２部材と、を含む、
ことを特徴とする撮影用ユニット。
【請求項６】
請求項４に記載された撮影用ユニットであって、
前記光学部材は、前記照明手段からの照明光を前記撮影対象物の接写部分に照射する第１部材を含み、
前記第１部材は、前記レンズ部における前記撮影対象物側の端部よりも前記撮影対象物に近い位置まで前記照明手段からの照明光を導光して、前記レンズ部における前記撮影対象物側の端部よりも前記撮影対象物に近い位置で、前記撮影対象物の接写部分に向けて照明光を斜めに出射する、
ことを特徴とする撮影用ユニット。
【請求項７】
請求項１乃至６のいずれかに記載された撮影用ユニットであって、
前記撮影手段から離れた位置で前記撮影対象物を保持する保持部材を有する、
ことを特徴とする撮影用ユニット。
【請求項８】
撮影手段および照明手段を備えた携帯端末と、
前記携帯端末に取り付けられる撮影用ユニットと、を有し、
前記撮影用ユニットは、
前記携帯端末に取り付けるための取付部材と、
前記撮影手段によって撮影される撮影対象物の撮影部分に、前記照明手段からの照明光を斜めから供給するための光学部材と、
前記光学部材の周囲を取り囲む遮光部材と、を備え、
前記光学部材からの光の第１の光軸は、前記撮影手段による光学系の第２の光軸に対して斜めとなる方向で前記撮影対象物に入射する、
ことを特徴とする撮影システム。
【請求項９】
撮影手段および照明手段を備えた携帯端末と、
前記携帯端末に取り付けられる撮影用ユニットと、を有し、
前記撮影用ユニットは、
前記携帯端末に取り付けるための取付部材と、
前記携帯端末の前記撮影手段の位置で固定されて、前記撮影対象物を接写するためのレンズ部と、
前記レンズ部によって接写される前記撮影対象物の接写部分に、斜めから照明光を供給するための光学部材と、
前記レンズ部と前記光学部材の周囲を取り囲む遮光部材と、を有し、
前記光学部材からの光の第１の光軸は、前記撮影手段および前記レンズ部による光学系の第２の光軸に対して斜めとなる方向で前記撮影対象物に入射する、
ことを特徴とする撮影システム。
【発明の詳細な説明】
【技術分野】
【０００１】
本発明は、撮影用ユニットおよび撮影システムに関する。
【背景技術】
【０００２】
媒体の表面に現れる紋様（例えば、紙指紋情報）を検出し、当該紋様情報により、媒体の原本性を認証する画像処理装置が知られている。
【０００３】
また、特許文献１には、カメラ付き携帯電話のカメラで、照明光を用いた拡大画像の撮像を行えるようにするための拡大撮像用ユニットが開示されている。
【先行技術文献】
【特許文献】
【０００４】
【特許文献１】特開２００４−２７９７３３号公報
【発明の概要】
【発明が解決しようとする課題】
【０００５】
本発明は、携帯端末の照明手段からの光の光軸と、該携帯端末の撮影手段による光学系の光軸とが並行である場合と比較して、撮影対象物の紋様情報を精細に取得できる撮影用ユニットを提供すること、および、撮像手段及び照明手段を備えた携帯端末と前記撮影用ユニットを有した撮影システムを提供することを目的とする。
【課題を解決するための手段】
【０００６】
請求項１に記載の発明は、撮影手段および照明手段を備えた携帯端末に取り付けるための取付部材と、前記撮影手段によって撮影される撮影対象物の撮影部分に、前記照明手段からの照明光を斜めから供給するための光学部材と、前記光学部材の周囲を取り囲む遮光部材と、を有し、前記光学部材からの光の第１の光軸は、前記撮影手段による光学系の第２の光軸に対して斜めとなる方向で前記撮影対象物に入射する、ことを特徴とする撮影用ユニットである。
【０００７】
また、請求項２に記載の発明は、請求項１に記載された撮影用ユニットであって、前記光学部材は、前記撮影手段から遠ざかる方向に前記照明手段からの照明光を照射する第１部材と、前記遮光部材の内部に配置されて、前記第１部材から照射される照射光を前記撮影対象物の撮影部分に向けて反射する第２部材と、を含む、ことを特徴とする撮影用ユニットである。
【０００８】
また、請求項３に記載の発明は、請求項１に記載された撮影用ユニットであって、前記光学部材は、前記照明手段からの照明光を前記撮影対象物の撮影部分に照射する第１部材を含み、前記第１部材は、前記撮影手段における前記撮影対象物側の端部よりも前記撮影対象物に近い位置まで前記照明手段からの照明光を導光して、前記撮影手段における前記撮影対象物側の端部よりも前記撮影対象物に近い位置で、前記撮影対象物の撮影部分に向けて照明光を斜めに出射する、ことを特徴とする撮影用ユニットである。
【０００９】
また、請求項４に記載の発明は、請求項１乃至３のいずれかに記載された撮影用ユニットであって、前記携帯端末の前記撮影手段の位置で固定されて、前記撮影対象物を接写するためのレンズ部を有し、前記遮光部材は、前記レンズ部と前記光学部材の周囲を取り囲んで、前記撮影対象物の接写部分の外光を遮断し、前記光学部材からの光の第１の光軸は、前記撮影手段および前記レンズ部による光学系の第２の光軸に対して斜めとなる方向で前記撮影対象物に入射する、ことを特徴とする撮影用ユニットである。
【００１０】
また、請求項５に記載の発明は、請求項４に記載された撮影用ユニットであって、前記光学部材は、前記レンズ部から遠ざかる方向に前記照明手段からの照明光を照射する第１部材と、前記遮光部材の内部に配置されて、前記第１部材から照射される照明光を前記撮影対象物の接写部分に向けて反射する第２部材と、を含む、ことを特徴とする撮影用ユニットである。
【００１１】
また、請求項６に記載の発明は、請求項４に記載された撮影用ユニットであって、前記光学部材は、前記照明手段からの照明光を前記撮影対象物の接写部分に照射する第１部材を含み、前記第１部材は、前記レンズ部における前記撮影対象物側の端部よりも前記撮影対象物に近い位置まで前記照明手段からの照明光を導光して、前記レンズ部における前記撮影対象物側の端部よりも前記撮影対象物に近い位置で、前記撮影対象物の接写部分に向けて照明光を斜めに出射する、ことを特徴とする撮影用ユニットである。
【００１２】
また、請求項７に記載の発明は、請求項１乃至６のいずれかに記載された撮影用ユニットであって、前記撮影手段から離れた位置で前記撮影対象物を保持する保持部材を有する、ことを特徴とする撮影用ユニットである。
【００１３】
また、請求項８に記載の発明は、撮影手段および照明手段を備えた携帯端末と、前記携帯端末に取り付けられる撮影用ユニットと、を有し、前記撮影用ユニットは、前記携帯端末に取り付けるための取付部材と、前記撮影手段によって撮影される撮影対象物の撮影部分に、前記照明手段からの照明光を斜めから供給するための光学部材と、前記光学部材の周囲を取り囲む遮光部材と、を備え、前記光学部材からの光の第１の光軸は、前記撮影手段による光学系の第２の光軸に対して斜めとなる方向で前記撮影対象物に入射する、ことを特徴とする撮影システムである。
【００１４】
また、請求項９に記載の発明は、撮影手段および照明手段を備えた携帯端末と、前記携帯端末に取り付けられる撮影用ユニットと、を有し、前記撮影用ユニットは、前記携帯端末に取り付けるための取付部材と、前記携帯端末の前記撮影手段の位置で固定されて、前記撮影対象物を接写するためのレンズ部と、前記レンズ部によって接写される前記撮影対象物の接写部分に、斜めから照明光を供給するための光学部材と、前記レンズ部と前記光学部材の周囲を取り囲む遮光部材と、を有し、前記光学部材からの光の第１の光軸は、前記撮影手段および前記レンズ部による光学系の第２の光軸に対して斜めとなる方向で前記撮影対象物に入射する、ことを特徴とする撮影システムである。
【００１５】
上記請求項１に記載の撮影用ユニットによれば、携帯端末の照明手段からの光の光軸を、該携帯端末の撮影手段による光学系の光軸に対して斜めとなる方向で撮影部分に供給することとなる。
【００１６】
上記請求項２に記載の撮影用ユニットによれば、撮影手段と撮影対象物間のスペースが狭くなる場合であっても、遮光部材内の空間を有効に活用して、撮影部分に斜めから照明光を供給することとなる。
【００１７】
上記請求項３に記載の撮影用ユニットによれば、撮影手段の影響を受けずに、照明光を撮影部分に供給することとなる。
【００１８】
上記請求項４に記載の撮影用ユニットによれば、接写撮影用のレンズを備える場合であっても、携帯端末の照明手段からの光の光軸を、該携帯端末の光学系の光軸に対して斜めとなる方向で接写部分に供給することとなる。
【００１９】
上記請求項５に記載の撮影用ユニットによれば、接写撮影によりレンズ部と撮影対象物間のスペースが狭くなる場合であっても、遮光部材内の空間を有効に活用して、接写部分に斜めから照明光を供給することとなる。
【００２０】
上記請求項６に記載の撮影用ユニットによれば、接写するためのレンズ部が存在する場合であっても、照明光を接写部分に供給することとなる。
【００２１】
上記請求項７に記載の撮影用ユニットによれば、撮影される撮影対象物の位置決めを容易にすることとなる。
【００２２】
上記請求項８に記載の撮影システムによれば、携帯端末の照明手段からの光の光軸を、該携帯端末の撮影手段による光学系の光軸に対して斜めとなる方向で撮影部分に供給することとなる。
【００２３】
上記請求項９に記載の撮影用システムによれば、接写撮影用のレンズを備える場合であっても、携帯端末の照明手段からの照明光を、該携帯端末の光学系の光軸に対して斜めとなる方向で接写部分に供給することとなる。
【図面の簡単な説明】
【００２４】
【図１】第１の実施形態にかかる撮影システムを概略的に示す斜視図である。
【図２】第１の実施形態における撮影用ユニットの概要を説明するための図である。
【図３】第１の実施形態における撮影用ユニットの変形例１を示す図である。
【図４Ａ】第１の実施形態における撮影用ユニットの断面を示す図である。
【図４Ｂ】第１の実施形態における撮影用ユニットの変形例２を示す図である。
【発明を実施するための形態】
【００２５】
以下、本発明の各実施形態に係る撮影システムおよび撮影用ユニットについて、図面を参照しながら説明する。
【００２６】
［第１の実施形態］
図１は第１の実施形態における撮影システムを概略的に示す斜視図である。第１の実施形態における撮影システム１は、撮影手段（カメラ機能）と照明手段（フラッシュ機能）を有した可搬型の携帯端末２に、撮影用ユニット３が取り付けられて構成される。また撮影用ユニット３は、携帯端末２の外形に嵌め合わされて固定される取付部材ＰＲと接写撮影ケースＣＡとを備えて構成される。
【００２７】
本実施形態における携帯端末２は、スマートフォンなどの携帯電話によって実現されるが、撮影手段や照明手段を備えたものであればタブレット端末などにより実現されることとしてもよい。また携帯端末２は、マイクロプロセッサ、ＲＡＭやハードディスドライブなどの記憶媒体により構成される記憶部、通信インタフェース、操作ボタンのほかに、ディスプレイやタッチパネルを備えており、このディスプレイの裏面に撮影手段と照明手段を備えている。
【００２８】
なお取付部材ＰＲには、携帯端末２の撮影手段の位置に開口が形成されており、この開口、および、遮光部材ＳＬの内部に配置されるレンズ部ＬＺを介して、撮影手段から紋様情報が取得される。また同様に、取付部材ＰＲには、携帯端末２の照明手段の位置にも開口が形成されており、この開口を介して遮光部材ＳＬの内部に配置される光学部材ＯＰに照明光が供給される。
【００２９】
携帯端末２の撮影手段は、ＣＣＤ（Charge Coupled Device）イメージセンサやＣＭＯＳ（Complementary Metal Oxide Semiconductor）イメージセンサ等の撮像素子及びレンズ等の光学系等からなり、被写体の画像を撮影して画像データを取得する。また撮影手段における光学系の光軸（第２の光軸）は、携帯端末２の裏面に対してほぼ垂直となる方向となっている。
【００３０】
携帯端末２の照明手段は、発光素子として、例えばＬＥＤ（発光ダイオード）を含んで構成される。本実施形態における照明手段は、撮影手段による画像取得の際に発光するようになっている。
【００３１】
また本実施形態における撮影システム１では、携帯端末２に紋様情報取得用のアプリケーションがインストールされており、このアプリケーションを起動することで、照明手段による発光が維持されつつ、撮影手段による撮影が開始されてその様子がディスプレイに表示される。そして、携帯端末２の操作ボタンやタッチパネルに入力をすることで、照明手段によって照らされた媒体の画像が取得されて、さらに紋様情報が取得されるようになっている。
【００３２】
ここで特に図２は、本実施形態の撮影用ユニット３における接写撮影ケースＣＡの内部を説明するための図である。撮影用ユニット３の接写撮影ケースＣＡは、携帯端末２の撮影手段と照明手段の位置にて取付部材ＰＲに固定されており、レンズ部ＬＺと、光学部材ＯＰと、箱状の遮光部材ＳＬとを有して構成される。
【００３３】
レンズ部ＬＺは、携帯端末２の撮影手段の最短撮影距離を短くする接写レンズ（マクロレンズ）と、接写レンズを保持する筒状の部材を含んで構成される。レンズ部ＬＺは、携帯端末２の撮影手段に対応する位置に配置されており、接写レンズの光軸が、携帯端末２の撮影手段における光学系の光軸と一致するように接写撮影ケースＣＡにおいて固定される。
【００３４】
光学部材ＯＰは、レンズ部ＬＺから遠ざかる方向に照明手段からの照明光を照射する第１部材ＯＰ１と、第１部材ＯＰ１から照射される照明光を反射して、紋様情報を取得する目標物となる撮影対象物（紙、プラスチック、錠剤、金属部品等の物体）の撮影部分（携帯端末２の撮影手段によって撮影されて、画像として取り込まれる領域）に斜めから照射をする第２部材ＯＰ２を有して構成される。
【００３５】
本実施形態における第１部材ＯＰ１は、照明手段からの照明光が進行する方向を変化させるように導光する導光部材によって構成される。導光部材の入射面は、携帯端末２の照明手段と向かい合って正対するように配置されて、照明手段からの照明光を効率的に取り込むようになっている。照明手段からの照明光は、導光部材の内部で全反射や屈折を繰り返して伝播され、進行方向が徐々に変化させられてレンズ部ＬＺに対して遠ざかる方向となるように、斜め下方に照明光を出射する。なお、第１部材ＯＰ１は、チューブ形状（円筒形状、多角形状等）の導光部材が好ましい。
【００３６】
第２部材ＯＰ２は、後述の遮光部材ＳＬの壁面に沿って配置された反射部材によって構成される。第１部材ＯＰ１からの照明光は、レンズ部ＬＺの側方に配置された第２部材ＯＰ２によって反射されてレンズ部ＬＺの下方に位置する媒体に対して斜め方向から入射する。
【００３７】
具体的には、円筒状の導光部材である、第１部材ＯＰ１の中心軸（光軸）が向いた方向に主光線が進行し、第２部材ＯＰ２によって反射された主光線が、レンズ部ＬＺの下方に配置された撮影対象物に対して斜めに入射するようになっている。この主光線は、光学部材ＯＰから接写撮影される媒体に供給される照明光の光束の中心を通る光線のことをいい、本実施形態においては、第１部材ＯＰ１の中心軸を通って第２部材ＯＰ２に反射されて進行する光線のことであって、光学部材ＯＰの光軸（第１の光軸）上を進行する光のことを言う。接写撮影される媒体は、携帯端末２の裏面に対して略平行となるように配置されており（携帯端末２の撮影手段とレンズ部ＬＺとによる光学系の第２の光軸に対して垂直となるように配置されており）、光学部材ＯＰからの主光線（光学部材からの光の第１の光軸）は、当該媒体に対して垂直となる第２の光軸方向を基準として、例えば、１０度以上８０度以下の角度、あるいは、２０度以上７０度以下の角度をなして当該媒体に入射するようになっている。なお、この光学部材ＯＰからの光の第１の光軸としては、携帯端末２の撮影手段とレンズ部ＬＺとによる光学系の第２光軸と交差するように入射してもよいし、撮影部分やその周辺に入射するものであってもよい。
【００３８】
遮光部材ＳＬは、レンズ部ＬＺおよび光学部材ＯＰ（第１部材ＯＰ１と第２部材ＯＰ２）を内包するようにボックス状の構造で形成されて、接写部分に至る外光を遮断する。またこの遮光部材ＳＬにおける矩形状の端面は、携帯端末２の裏面に対して平行面となるように形成され、この端面により、最短撮影距離が短くなった光学系の焦点深度内に媒体が位置決めをしやすくなっている。
【００３９】
紙指紋をはじめとする紋様情報は、紙繊維等によるランダムな起伏によって形成されるものであり、外光を遮断しつつ斜め方向から照明光を照射することで、この起伏による紋様情報を、再現性を伴って取得しやすくなる。新たに撮影システム１で取得された紋様情報としては、原本となる媒体の紋様情報がネットワークを介して携帯端末２に供給されることで原本性が確認されてもよい。
【００４０】
また、本実施形態における撮影用ユニット３の遮光部材ＳＬの厚み（図４Ａ及び図４Ｂにおけるｄ１を参照）は、レンズ部ＬＺによって最短撮影距離が短くなった光学系に対応した大きさとなっており、レンズ部ＬＺの厚み（図４Ａ及び図４Ｂにおけるｄ２を参照）をも考慮すると、携帯端末２の照明手段からの照明光を接写部分に供給できるスペースが狭くなっている。しかしながら携帯端末２の照明光を誘導する光学部材ＯＰが、レンズ部ＬＺから遠ざかる方向となるように照明光の主光線を導く第１部材ＯＰ１と、第１部材ＯＰ１からの主光線を反射して接写部分（レンズ部ＬＺにより撮影対象物を接写する場合の撮影部分）に向かうようにする第２部材ＯＰ２とによって構成されることで、遮光部材ＬＺ内の空間を有効に活用しつつ、レンズ部ＬＺと媒体との間の狭いスペースから、万遍なく斜めから照明光を接写部分に供給しやすくなる。
【００４１】
図３は、本実施形態の撮影システム１の変形例１を概略的に説明する図である。同図にて示されるように、変形例１の撮影システム１では、遮光部材ＳＬの下方となる位置に保持部材ＨＬを備えている。保持部材ＨＬは、遮光部材ＳＬの下端にて接続され、携帯端末２の裏面に対して平行となる２枚の板状部材Ｂ１、Ｂ２を含んで構成され、２枚の板状部材Ｂ１、Ｂ２は、Ｌ字状の内壁によって接続されるようになっている。
【００４２】
したがって接写される媒体は、この２枚の板状部材Ｂ１、Ｂ２の間に挟まれて保持されることにより、携帯端末２の撮影手段とレンズ部ＬＺとによる光学系の光軸方向への変動が制限されることとなり、Ｌ字状の内壁によって縦方向・横方向への変動が制限されることとなる。このため保持部材ＨＬによって、接写される媒体の位置決めが容易となる。
【００４３】
次に、図４Ａは、本実施形態の接写撮影ケースＣＡの断面を説明するための図であり、図４Ｂは、本実施形態の変形例２の接写撮影ケースＣＡの断面を説明するための図である。
【００４４】
図４Ａで示されるように、本実施形態の接写撮影ケースＣＡにおける第１部材ＯＰ１は、レンズ部ＬＺから離れた位置に配置される第２部材ＯＰ２に向けて照明光を導光し、第２部材ＯＰ２での反射を経て照明光が接写部分に至るように構成されている。図４Ａで示されるように、第２部材ＯＰ２を経て第１部材ＯＰ１からの主光線が媒体に至る場合には、媒体に対して４５度以下、あるいは、３０度以下となる低角度で主光線が入射することとなる。一方、これに対して本実施形態の変形例２では、接写部分に照明光を供給する光学部材ＯＰが反射部材となる第２部材ＯＰ２を含んでおらず、導光部材によって構成された第１部材ＯＰ１のみによって構成されるようになっている。
【００４５】
変形例２における第１部材ＯＰ１は、図４Ｂで示されるように、レンズ部ＬＺの媒体側の端部よりも媒体に近い側で出射面が存在するように構成される。具体的には、第１部材ＯＰ１の出射面の上端が、レンズ部ＬＺの端部よりも媒体に近い側となるように構成される。また変形例２においては、円筒状の第１部材ＯＰ１の延長上にはレンズ部ＬＺが存在しないようになっており、具体的には、第１部材ＯＰ１からの主光線（第１部材ＯＰ１の中心軸から出射される光）の光路を中心とする同一半径内の空間において、レンズ部ＬＺが存在せず、第１部材ＯＰ１の出射面からの照明光が接写部分に直接照射されるようになっている。携帯端末２の撮影手段と照明手段は互いに近接して配置されることが多くなっているため、第１部材ＯＰ１が存在しない場合には、レンズ部ＬＺによって接写部分に向かう照明光がさえぎられることとなる。しかしながら第１部材ＯＰ１が存在して、レンズ部ＬＺの端部よりも媒体側で照明光が出射されるように導光することで、携帯端末２の照明手段による照明光を滞りなく接写部分に供給しやすくなる。
【００４６】
なお図４Ａで示される本実施形態の場合には、第１部材ＯＰ１の出射面が必ずしもレンズ部ＬＺの媒体側の端部よりも媒体側となるように構成されておらずともよく、例えば、第１部材ＯＰ１の出射面の一部が、レンズ部ＬＺの媒体側の端部よりも携帯端末２側となるように構成されていてもよい。
【００４７】
なお、上記の実施形態や変形例においては、接写撮影ケースＣＡの位置、レンズ部ＬＺや光学部材ＯＰの位置が固定されていてもよいが、携帯端末２における撮影手段や照明手段の位置に合わせて変化させることができるようになっていてもよい。また、第１部材ＯＰ１の形状や向きが固定されていてもよいが、これらの形状や向きも変化させることができる構造となっていてもよい。また、紋様情報を取得する際の再現性を向上させるためには、これらの位置や形状が固定されるようになっているのが望ましい。
【００４８】
なお、上記の実施形態や変形例においては、レンズ部ＬＺにより撮影対象物が接写撮影されるようになっているが、本発明においては、レンズ部ＬＺが必ずしも含まれておらずともよく、光学部材ＯＰからの主光線が撮影部分に対して斜めから照射されるようになっていればよい。また上記の実施形態や変形例においては、光学部材ＯＰが第１の部材ＯＰ１（導光部材）を含むようになっているが、必ずしもこのような導光部材を含んでおらずともよく、例えば、鏡等の反射部材を用いて照明手段からの照明光を反射させて撮影部分に斜めから照射させるような構成であってもよい。
【００４９】
本発明は、上述した実施形態に限定されるものではなく種々の変形が可能である。本発明の思想の範疇において、当業者であれば、各種の変更例および修正例に想到し得るものであり、それら変更例および修正例についても本発明の範囲に属するものと了解される。また例えば、上記の各実施形態に対して、当業者が適宜、構成要素の追加、削除、もしくは設計変更を行ったもの、または、工程の追加、省略若しくは条件変更を行ったものも、本発明の要旨を備えている限り、本発明の範囲に含まれる。
【符号の説明】
【００５０】
１  撮影システム、２  携帯端末、３  撮影用ユニット、ＰＲ  取付部材、ＣＡ  接写撮影ケース、ＬＺ  レンズ部、ＯＰ  光学部材、ＯＰ１  第１部材、ＯＰ２  第２部材、ＳＬ  遮光部材、ＨＬ  保持部材。
【図１】
2016110029.tif 000003
【図２】
2016110029.tif 000004
【図３】
2016110029.tif 000005
【図４Ａ】
2016110029.tif 000006
【図４Ｂ】
2016110029.tif 000007